(57)【要約】      （修正有）【課題】二重接続方式を活用しつつ、フィードバック情報が受信されるまでの時間を短縮する。【解決手段】ｅＮＢ２００−１からＵＥ１００へ下りリンクデータが送信される下りリンク用の第１の接続と、ＵＥ１００からｅＮＢ２００−２への上りリンクデータが送信される上りリンク用の第２の接続とが確立されている場合において、ＵＥ１００は、下りフィードバック情報を、ｅＮＢ２００−１に送信し、ＵＥ１００は、上りフィードバック情報を、ｅＮＢ２００−２から受信する。【選択図】図８
2014204346.tif 000002
【特許請求の範囲】
【請求項１】
ユーザ端末と、第１の無線基地局と、前記第１の無線基地局に隣接する第２の無線基地局とを有し、前記第１の無線基地局から前記ユーザ端末へ下りリンクデータが送信される下りリンク用の第１の接続と、前記ユーザ端末から前記第２の無線基地局へ上りリンクデータが送信される上りリンク用の第２の接続と、が確立される二重接続方式をサポートする移動通信システムであって、
前記ユーザ端末は、前記第１の無線基地局から前記ユーザ端末への前記下りリンクデータについてのフィードバック情報である下りフィードバック情報を、前記第１の無線基地局に送信し、
前記ユーザ端末は、前記ユーザ端末から前記第２の無線基地局への前記上りリンクデータについてのフィードバック情報である上りフィードバック情報を、前記第２の無線基地局から受信することを特徴とする移動通信システム。
【請求項２】
前記第１の無線基地局と前記第２の無線基地局とが同一の周波数帯を使用する場合に、前記第２の無線基地局は、前記上りフィードバック情報の送信に用いられる無線リソースを示す情報を含むスケジューリング情報を前記第１の無線基地局に送信し、
前記第１の無線基地局は、前記スケジューリング情報に基づいて、下りリンクにおける無線リソースの割り当てを行うことを特徴とする請求項１に記載の移動通信システム。
【請求項３】
前記第２の無線基地局は、前記上りフィードバック情報を含む下りリンク制御情報を送信するための制御領域と前記下りリンクデータを送信するためのデータ領域とを含む下りリンクフレームにおいて、前記上りフィードバック情報を、前記制御領域に代えて前記データ領域で送信することを特徴とする請求項２に記載の移動通信システム。
【請求項４】
前記第１の無線基地局は、前記上りフィードバック情報の送信に用いられる前記無線リソースに対応する無線リソースを、前記第１の無線基地局と接続を確立する前記ユーザ端末を含む複数のユーザ端末に対して、割り当てないように、前記無線リソースの割り当てを行うことを特徴とする請求項２又は３に記載の移動通信システム。
【請求項５】
前記第１の無線基地局は、前記上りフィードバック情報を送信するために前記ユーザ端末に対して割り当てられた前記無線リソースに対応する無線リソースを用いて、前記下りリンクデータを所定値以下の送信電力で送信することを特徴とする請求項２又は３に記載の移動通信システム。
【請求項６】
前記第１の無線基地局は、前記第２の無線基地局が前記上りフィードバック情報を送信している間、前記第１の無線基地局からの指向性ビームのヌル点が前記ユーザ端末に向くように、前記無線リソースの割り当てを行うことを特徴とする請求項３に記載の移動通信システム。
【請求項７】
前記第２の無線基地局は、前記データ領域で前記上りフィードバック情報を送信するための設定を示す設定情報を、前記ユーザ端末に送信することを特徴とする請求項３に記載の移動通信システム。
【請求項８】
前記第２の無線基地局は、前記設定情報を、前記第１の無線基地局を経由して、前記ユーザ端末に送信することを特徴とする請求項７に記載の移動通信システム。
【請求項９】
前記上りフィードバック情報は、前記ユーザ端末から送信された前記上りリンクデータの送達確認情報であり、
前記第２の無線基地局は、物理ＨＡＲＱインジケータチャネルを介して、前記上りフィードバック情報を送信することを特徴とする請求項３に記載の移動通信システム。
【請求項１０】
前記第１の無線基地局と前記第２の無線基地局とが同一の周波数帯を使用する場合に、前記第１の無線基地局は、前記下りフィードバック情報の送信に用いられる無線リソースを示す情報を含むスケジューリング情報を前記第２の無線基地局に送信し、
前記第２の無線基地局は、前記スケジューリング情報に基づいて、上りリンクにおける無線リソースの割り当てを行うことを特徴とする請求項１に記載の移動通信システム。
【請求項１１】
前記第１の無線基地局は、前記下りフィードバック情報を含む上りリンク制御情報を送信するための制御領域と前記上りリンクデータを送信するためのデータ領域とを含む上りリンクフレームにおいて、前記下りフィードバック情報を、前記制御領域に代えて前記データ領域で、前記ユーザ端末に送信させることを特徴とする請求項１０に記載の移動通信システム。
【請求項１２】
前記第２の無線基地局は、前記下りフィードバック情報の送信に用いられる前記無線リソースに対応する無線リソースを、前記第２の無線基地局と接続を確立する前記ユーザ端末を含む複数のユーザ端末に対して、割り当てないように、前記無線リソースの割り当てを行うことを特徴とする請求項１０又は１１に記載の移動通信システム。
【請求項１３】
前記ユーザ端末は、前記下りフィードバック情報を所定値以下の送信電力で送信することを特徴とする請求項１０又は１１に記載の移動通信システム。
【請求項１４】
前記移動通信システムは、前記第１の無線基地局を含むネットワークを有し、
前記ユーザ端末は、前記ユーザ端末が前記二重接続方式をサポートするか否かを示す情報を前記第１の無線基地局に送信し、
前記ネットワークは、前記情報に基づいて、前記ユーザ端末に前記二重接続方式を適用するか否かを判定することを特徴とする請求項１に記載の移動通信システム。
【請求項１５】
ユーザ端末と、第１の無線基地局と、前記第１の無線基地局に隣接する第２の無線基地局とを有し、前記第１の無線基地局から前記ユーザ端末へ下りリンクデータが送信される下りリンク用の第１の接続と、前記ユーザ端末から前記第２の無線基地局へ上りリンクデータが送信される上りリンク用の第２の接続と、が確立される二重接続方式をサポートする移動通信システムにおけるユーザ端末であって、
前記第１の無線基地局から前記ユーザ端末への前記下りリンクデータについてのフィードバック情報である下りフィードバック情報を、前記第１の無線基地局に送信する送信部と、
前記ユーザ端末は、前記ユーザ端末から前記第２の無線基地局への前記上りリンクデータについてのフィードバック情報である上りフィードバック情報を、前記第２の無線基地局から受信する受信部と、を有することを特徴とするユーザ端末。
【発明の詳細な説明】
【技術分野】
【０００１】
本発明は、二重接続方式をサポートする移動通信システムに関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、二重接続（Ｄｕａｌ  Ｃｏｎｎｅｃｔｉｏｎ）方式の導入が検討されている（非特許文献１参照）。
【０００３】
二重接続方式の一つとして、第１の無線基地局からユーザ端末へ下りリンクデータが送信される下りリンク用の第１の接続と、ユーザ端末から第２の無線基地局へ上りリンクデータが送信される上りリンク用の第２の接続と、が確立される方式がある。
【先行技術文献】
【非特許文献】
【０００４】
【非特許文献１】３ＧＰＰ寄書  ＲＰ−１２２０３３
【発明の概要】
【０００５】
しかしながら、上記二重接続方式では、ユーザ端末は、第１の無線基地局からユーザ端末への下りリンクデータについてのフィードバック情報である下りフィードバック情報を、第２の無線基地局を経由して、第１の無線基地局へ送信する。このため、第１の無線基地局が、下りフィードバック情報を受信するまでに遅延時間が発生し、下りフィードバック情報が下りリンクのデータ通信に反映されるまでに時間がかかるという問題がある。
【０００６】
また、上記二重接続方式では、第２の無線基地局は、ユーザ端末から第２の無線基地局への上りリンクデータについてのフィードバック情報である上りフィードバック情報を、第１の無線基地局を経由して、ユーザ端末へ送信する。このため、ユーザ端末が、上りフィードバック情報を受信するまでに遅延時間が発生し、上りフィードバック情報が上りリンクのデータ通信に反映されるまでに時間がかかるという問題がある。
【０００７】
そこで、本発明は、二重接続方式を活用しつつ、フィードバック情報が受信されるまでの時間を短縮できる移動通信システム及びユーザ端末を提供する。
【０００８】
一実施形態によれば、移動通信システムは、ユーザ端末と、第１の無線基地局と、前記第１の無線基地局に隣接する第２の無線基地局とを有し、前記第１の無線基地局から前記ユーザ端末へ下りリンクデータが送信される下りリンク用の第１の接続と、前記ユーザ端末から前記第２の無線基地局へ上りリンクデータが送信される上りリンク用の第２の接続と、が確立される二重接続方式をサポートする。前記ユーザ端末は、前記第１の無線基地局から前記ユーザ端末への前記下りリンクデータについてのフィードバック情報である下りフィードバック情報を、前記第１の無線基地局に送信する。前記ユーザ端末は、前記ユーザ端末から前記第２の無線基地局への前記上りリンクデータについてのフィードバック情報である上りフィードバック情報を、前記第２の無線基地局から受信する。
【図面の簡単な説明】
【０００９】
【図１】図１は、ＬＴＥシステムの構成図である。
【図２】図２は、ＵＥのブロック図である。
【図３】図３は、ｅＮＢのブロック図である。
【図４】図４は、ＬＴＥシステムにおける無線インターフェイスのプロトコルスタック図である。
【図５】図５は、ＬＴＥシステムで使用される無線フレームの構成図である。
【図６】図６は、下りサブフレームの構成を示すフレーム構成図である。
【図７】図７は、上りサブフレームの構成を示すフレーム構成図である。
【図８】図８は、本実施形態に係るＬＴＥシステムの動作環境を説明するための図である。
【図９】図９は、上りフィードバック情報に関する動作シーケンスのシーケンス図である。
【図１０】図１０は、下りフィードバック情報に関する動作シーケンスのシーケンス図である。
【発明を実施するための形態】
【００１０】
［実施形態の概要］
実施形態に係る移動通信システムは、ユーザ端末と、第１の無線基地局と、前記第１の無線基地局に隣接する第２の無線基地局とを有し、前記第１の無線基地局から前記ユーザ端末へ下りリンクデータが送信される下りリンク用の第１の接続と、前記ユーザ端末から前記第２の無線基地局へ上りリンクデータが送信される上りリンク用の第２の接続と、が確立される二重接続方式をサポートする移動通信システムであって、前記ユーザ端末は、前記第１の無線基地局から前記ユーザ端末への前記下りリンクデータについてのフィードバック情報である下りフィードバック情報を、前記第１の無線基地局に送信し、前記ユーザ端末は、前記ユーザ端末から前記第２の無線基地局への前記上りリンクデータについてのフィードバック情報である上りフィードバック情報を、前記第２の無線基地局から受信する。
【００１１】
実施形態において、前記第１の無線基地局と前記第２の無線基地局とが同一の周波数帯を使用する場合に、前記第２の無線基地局は、前記上りフィードバック情報の送信に用いられる無線リソースを示す情報を含むスケジューリング情報を前記第１の無線基地局に送信し、前記第１の無線基地局は、前記スケジューリング情報に基づいて、下りリンクにおける無線リソースの割り当てを行う。
【００１２】
実施形態において、前記第２の無線基地局は、前記上りフィードバック情報を含む下りリンク制御情報を送信するための制御領域と前記下りリンクデータを送信するためのデータ領域とを含む下りリンクフレームにおいて、前記上りフィードバック情報を、前記制御領域に代えて前記データ領域で送信する。
【００１３】
実施形態において、前記第１の無線基地局は、前記上りフィードバック情報の送信に用いられる前記無線リソースに対応する無線リソースを、前記第１の無線基地局と接続を確立する前記ユーザ端末を含む複数のユーザ端末に対して、割り当てないように、前記無線リソースの割り当てを行う。
【００１４】
実施形態において、前記第１の無線基地局は、前記上りフィードバック情報を送信するために前記ユーザ端末に対して割り当てられた前記無線リソースに対応する無線リソースを用いて、前記下りリンクデータを所定値以下の送信電力で送信する。
【００１５】
実施形態において、前記第１の無線基地局は、前記第２の無線基地局が前記上りフィードバック情報を送信している間、前記第１の無線基地局からの指向性ビームのヌル点が前記ユーザ端末に向くように、前記無線リソースの割り当てを行う。
【００１６】
実施形態において、前記第２の無線基地局は、前記データ領域で前記上りフィードバック情報を送信するための設定を示す設定情報を、前記ユーザ端末に送信する。
【００１７】
実施形態において、前記第２の無線基地局は、前記設定情報を、前記第１の無線基地局を経由して、前記ユーザ端末に送信する。
【００１８】
実施形態において、前記上りフィードバック情報は、前記ユーザ端末から送信された前記上りリンクデータの送達確認情報であり、前記第２の無線基地局は、物理ＨＡＲＱインジケータチャネルを介して、前記上りフィードバック情報を送信する。
【００１９】
実施形態において、前記第１の無線基地局と前記第２の無線基地局とが同一の周波数帯を使用する場合に、前記第１の無線基地局は、前記下りフィードバック情報の送信に用いられる無線リソースを示す情報を含むスケジューリング情報を前記第２の無線基地局に送信し、前記第２の無線基地局は、前記スケジューリング情報に基づいて、上りリンクにおける無線リソースの割り当てを行う。
【００２０】
実施形態において、前記第１の無線基地局は、前記下りフィードバック情報を含む上りリンク制御情報を送信するための制御領域と前記上りリンクデータを送信するためのデータ領域とを含む上りリンクフレームにおいて、前記下りフィードバック情報を、前記前記制御領域に代えて前記データ領域で、前記ユーザ端末に送信させる。
【００２１】
実施形態において、前記第２の無線基地局は、前記下りフィードバック情報の送信に用いられる前記無線リソースに対応する無線リソースを、前記第２の無線基地局と接続を確立する前記ユーザ端末を含む複数のユーザ端末に対して、割り当てないように、前記無線リソースの割り当てを行う。
【００２２】
実施形態において、前記ユーザ端末は、前記下りフィードバック情報を所定値以下の送信電力で送信する。
【００２３】
実施形態において、前記移動通信システムは、前記第１の無線基地局を含むネットワークを有し、前記ユーザ端末は、前記ユーザ端末が前記二重接続方式をサポートするか否かを示す情報を前記第１の無線基地局に送信し、前記ネットワークは、前記情報に基づいて、前記ユーザ端末に前記二重接続方式を適用するか否かを判定する。
【００２４】
実施形態に係るユーザ端末は、ユーザ端末と、第１の無線基地局と、前記第１の無線基地局に隣接する第２の無線基地局とを有し、前記第１の無線基地局から前記ユーザ端末へ下りリンクデータが送信される下りリンク用の第１の接続と、前記ユーザ端末から前記第２の無線基地局へ上りリンクデータが送信される上りリンク用の第２の接続と、が確立される二重接続方式をサポートする移動通信システムにおけるユーザ端末であって、前記第１の無線基地局から前記ユーザ端末への前記下りリンクデータについてのフィードバック情報である下りフィードバック情報を、前記第１の無線基地局に送信する送信部と、前記ユーザ端末は、前記ユーザ端末から前記第２の無線基地局への前記上りリンクデータについてのフィードバック情報である上りフィードバック情報を、前記第２の無線基地局から受信する受信部と、を有する。
【００２５】
以下、図面を参照して、３ＧＰＰ規格に準拠して構成されるセルラ移動通信システム（以下、「ＬＴＥシステム」）にＤ２Ｄ通信を導入する場合の各実施形態を説明する。
【００２６】
［第１実施形態］
以下、第１実施形態について、説明する。
【００２７】
（ＬＴＥシステム）
図１は、本実施形態に係るＬＴＥシステムの構成図である。
【００２８】
図１に示すように、ＬＴＥシステムは、複数のＵＥ（Ｕｓｅｒ  Ｅｑｕｉｐｍｅｎｔ）１００と、Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）１０と、ＥＰＣ（Ｅｖｏｌｖｅｄ  Ｐａｃｋｅｔ  Ｃｏｒｅ）２０と、を含む。Ｅ−ＵＴＲＡＮ１０及びＥＰＣ２０は、ネットワークを構成する。
【００２９】
ＵＥ１００は、移動型の無線通信装置であり、接続を確立したセル（サービングセル）との無線通信を行う。ＵＥ１００はユーザ端末に相当する。
【００３０】
Ｅ−ＵＴＲＡＮ１０は、複数のｅＮＢ２００（ｅｖｏｌｖｅｄ  Ｎｏｄｅ−Ｂ）を含む。ｅＮＢ２００は基地局に相当する。ｅＮＢ２００は、セルを管理しており、セルとの接続を確立したＵＥ１００との無線通信を行う。
【００３１】
なお、「セル」は、無線通信エリアの最小単位を示す用語として使用される他に、ＵＥ１００との無線通信を行う機能を示す用語としても使用される。
【００３２】
ｅＮＢ２００は、例えば、無線リソース管理（ＲＲＭ）機能と、ユーザデータのルーティング機能と、モビリティ制御及びスケジューリングのための測定制御機能と、を有する。
【００３３】
ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００と、ＯＡＭ４００（Ｏｐｅｒａｔｉｏｎ  ａｎｄ  Ｍａｉｎｔｅｎａｎｃｅ）と）を含む。また、ＥＰＣ２０は、コアネットワークに相当する。
【００３４】
ＭＭＥは、ＵＥ１００に対する各種モビリティ制御等を行うネットワークノードであり、制御局に相当する。Ｓ−ＧＷは、ユーザデータの転送制御を行うネットワークノードであり、交換局に相当する。
【００３５】
ｅＮＢ２００は、Ｘ２インターフェイスを介して相互に接続される。また、ｅＮＢ２００は、Ｓ１インターフェイスを介してＭＭＥ／Ｓ−ＧＷ３００と接続される。
【００３６】
ＯＡＭ４００は、オペレータによって管理されるサーバ装置であり、Ｅ−ＵＴＲＡＮ１０の保守及び監視を行う。
【００３７】
次に、ＵＥ１００及びｅＮＢ２００の構成を説明する。
【００３８】
図２は、ＵＥ１００のブロック図である。図２に示すように、ＵＥ１００は、アンテナ１０１と、無線送受信機１１０と、ユーザインターフェイス１２０と、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０と、バッテリ１４０と、メモリ１５０と、プロセッサ１６０と、を有する。メモリ１５０及びプロセッサ１６０は、制御部を構成する。
【００３９】
ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００４０】
アンテナ１０１及び無線送受信機１１０は、無線信号の送受信に用いられる。アンテナ１０１は、複数のアンテナ素子を含む。無線送受信機１１０は、プロセッサ１６０が出力するベースバンド信号を無線信号に変換してアンテナ１０１から送信する。また、無線送受信機１１０は、アンテナ１０１が受信する無線信号をベースバンド信号に変換してプロセッサ１６０に出力する。
【００４１】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、該操作の内容を示す信号をプロセッサ１６０に出力する。
【００４２】
ＧＮＳＳ受信機１３０は、ＵＥ１００の地理的な位置を示す位置情報を得るために、ＧＮＳＳ信号を受信して、受信した信号をプロセッサ１６０に出力する。
【００４３】
バッテリ１４０は、ＵＥ１００の各ブロックに供給すべき電力を蓄える。
【００４４】
メモリ１５０は、プロセッサ１６０によって実行されるプログラムと、プロセッサ１６０による処理に使用される情報と、を記憶する。
【００４５】
プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、後述する各種の処理及び各種の通信プロトコルを実行する。
【００４６】
図３は、ｅＮＢ２００のブロック図である。図３に示すように、ｅＮＢ２００は、アンテナ２０１と、無線送受信機２１０と、ネットワークインターフェイス２２０と、メモリ２３０と、プロセッサ２４０と、を有する。メモリ２３０及びプロセッサ２４０は、制御部を構成する。なお、メモリ２３０をプロセッサ２４０と一体化し、このセット（すなわち、チップセット）をプロセッサ２４０’としてもよい。
【００４７】
アンテナ２０１及び無線送受信機２１０は、無線信号の送受信に用いられる。アンテナ２０１は、複数のアンテナ素子を含む。無線送受信機２１０は、プロセッサ２４０が出力するベースバンド信号を無線信号に変換してアンテナ２０１から送信する。また、無線送受信機２１０は、アンテナ２０１が受信する無線信号をベースバンド信号に変換してプロセッサ２４０に出力する。
【００４８】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００４９】
メモリ２３０は、プロセッサ２４０によって実行されるプログラムと、プロセッサ２４０による処理に使用される情報と、を記憶する。
【００５０】
プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００５１】
図４は、ＬＴＥシステムにおける無線インターフェイスのプロトコルスタック図である。
【００５２】
図４に示すように、無線インターフェイスプロトコルは、ＯＳＩ参照モデルのレイヤ１乃至レイヤ３に区分されており、レイヤ１は物理（ＰＨＹ）レイヤである。レイヤ２は、ＭＡＣ（Ｍｅｄｉａ  Ａｃｃｅｓｓ  Ｃｏｎｔｒｏｌ）レイヤと、ＲＬＣ（Ｒａｄｉｏ  Ｌｉｎｋ  Ｃｏｎｔｒｏｌ）レイヤと、ＰＤＣＰ（Ｐａｃｋｅｔ  Ｄａｔａ  Ｃｏｎｖｅｒｇｅｎｃｅ  Ｐｒｏｔｏｃｏｌ）レイヤと、を含む。レイヤ３は、ＲＲＣ（Ｒａｄｉｏ  Ｒｅｓｏｕｒｃｅ  Ｃｏｎｔｒｏｌ）レイヤを含む。
【００５３】
物理レイヤは、符号化・復号、変調・復調、アンテナマッピング・デマッピング、及びリソースマッピング・デマッピングを行う。物理レイヤは、物理チャネルを用いて上位レイヤに伝送サービスを提供する。ＵＥ１００の物理レイヤとｅＮＢ２００の物理レイヤとの間では、物理チャネルを介してデータが伝送される。
【００５４】
ＭＡＣレイヤは、データの優先制御、及びハイブリッドＡＲＱ（ＨＡＲＱ）による再送処理などを行う。ＵＥ１００のＭＡＣレイヤとｅＮＢ２００のＭＡＣレイヤとの間では、トランスポートチャネルを介してデータが伝送される。ｅＮＢ２００のＭＡＣレイヤは、上下リンクのトランスポートフォーマット（トランスポートブロックサイズ、変調・符号化方式など）、及び割り当てリソースブロックを決定するＭＡＣスケジューラを含む。
【００５５】
ＲＬＣレイヤは、ＭＡＣレイヤ及び物理レイヤの機能を利用してデータを受信側のＲＬＣレイヤに伝送する。ＵＥ１００のＲＬＣレイヤとｅＮＢ２００のＲＬＣレイヤとの間では、論理チャネルを介してデータが伝送される。
【００５６】
ＰＤＣＰレイヤは、ヘッダ圧縮・伸張、及び暗号化・復号化を行う。
【００５７】
ＲＲＣレイヤは、制御プレーンでのみ定義される。ＵＥ１００のＲＲＣレイヤとｅＮＢ２００のＲＲＣレイヤとの間では、各種設定のための制御信号（ＲＲＣメッセージ）が伝送される。ＲＲＣレイヤは、無線ベアラの確立、再確立及び解放に応じて、論理チャネル、トランスポートチャネル、及び物理チャネルを制御する。ＵＥ１００のＲＲＣとｅＮＢ２００のＲＲＣとの間にＲＲＣ接続がある場合、ＵＥ１００は接続状態（ＲＲＣ  ｃｏｎｎｅｃｔｅｄ  ｓｔａｔｅ）であり、そうでない場合、ＵＥ１００はアイドル状態（ＲＲＣ  ｉｄｌｅ  ｓｔａｔｅ）である。
【００５８】
ＲＲＣレイヤの上位に位置するＮＡＳ(Ｎｏｎ−Ａｃｃｅｓｓ  Ｓｔｒａｔｕｍ)レイヤは、セッション管理及びモビリティ管理などを行う。
【００５９】
図５は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ使用される。
【００６０】
図５に示すように、無線フレームは、時間方向に並ぶ１０個のサブフレームで構成され、各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各シンボルの先頭には、サイクリックプレフィックス（ＣＰ）と呼ばれるガード区間が設けられる。リソースブロックは、周波数方向に複数個のサブキャリアを含む。１つのサブキャリア及び１つのシンボルにより構成される無線リソース単位はリソースエレメント（ＲＥ）と称される。
【００６１】
ＵＥ１００に割り当てられる無線リソースのうち、周波数リソースはリソースブロックにより特定でき、時間リソースはサブフレーム（又はスロット）により特定できる。
【００６２】
図６に示すように、下りリンクにおいて、各サブフレームの先頭数シンボルの区間は、主に物理下りリンク制御チャネル（ＰＤＣＣＨ）として使用される無線リソース（時間・周波数リソース）からなる制御領域（ＰＤＣＣＨ領域）である。また、各サブフレームの残りの区間は、主に物理下りリンク共有チャネル（ＰＤＳＣＨ）として使用できる無線リソース（時間・周波数リソース）からなる領域（ＰＤＳＣＨ領域）である。
【００６３】
ＰＤＣＣＨは、制御信号を搬送する。制御信号は、例えば、上りリンクＳＩ（Ｓｃｈｅｄｕｌｉｎｇ  Ｉｎｆｏｒｍａｔｉｏｎ）、下りリンクＳＩ、及び、ＴＰＣビットである。上りリンクＳＩは上りリンク無線リソースの割り当てを示し、下りリンクＳＩは、下りリンク無線リソースの割り当てを示す。ＴＰＣビットは、上りリンクの送信電力の増減を指示する信号である。これらの制御信号は、下りリンク制御情報（ＤＣＩ）と称される。本実施形態において、上りリンクに関する下りリンク制御情報（例えば、上りリンクＳＩ、ＴＰＣビット）は、上りフィードバック情報である。また、下りリンクに関する下りリンク制御情報（下りリンクＳＩ）は、下りリンクフィードバック情報である。
【００６４】
ＰＤＳＣＨは、ユーザデータ及び／又は制御信号を搬送する。例えば、下りリンクのデータ領域は、ユーザデータにのみ割当てられてもよく、ユーザデータ及び制御信号が多重されるように割り当てられてもよい。
【００６５】
なお、ＰＤＳＣＨを介して送信される制御信号としては、タイミングアドバンス値が挙げられる。タイミングアドバンス値は、ＵＥ１００の送信タイミング補正値であり、ＵＥ１００から送信される上りリンク信号に基づいてｅＮＢ２００によって決定される。
【００６６】
また、各サブフレームには、セル固有参照信号（ＣＲＳ）及び／又はチャネル状態情報用参照信号（ＣＳＩ−ＲＳ）等の下りリンク参照信号が分散して配置される。下りリンク参照信号は、所定の直交信号系列により構成され、かつ、所定のリソースエレメントに配置される。
【００６７】
また、物理ＨＡＲＱインジケータチャネル（ＰＨＩＣＨ；Ｐｈｙｓｉｃａｌ  ＨＡＲＱ  Ｉｎｄｉｃａｔｏｒ  Ｃａｎｎｅｌ）を介して、確認応答（ＡＣＫ）／否定確認応答（ＮＡＣＫ）が搬送される。ＡＣＫ／ＮＡＣＫは、上りリンクの物理チャネル（例えば、ＰＵＳＣＨ）を介して送信される信号の復号に成功したか否かを示す。なお、物理ＨＡＲＱインジケータチャネルは、ＰＵＳＣＨに対する再送要求信号を通知するチャネルである。
【００６８】
図７に示すように、上りリンクにおいて、各サブフレームにおける周波数方向の両端部は、主に物理上りリンク制御チャネル（ＰＵＣＣＨ）として使用される無線リソース（時間・周波数リソース）からなる制御領域（ＰＵＣＣＨ領域）である。また、各サブフレームにおける周波数方向の中央部は、主に物理上りリンク共有チャネル（ＰＵＳＣＨ）として使用できる無線リソース（時間・周波数リソース）からなる領域（ＰＵＳＣＨ領域）である。
【００６９】
ＰＵＣＣＨは、制御信号を搬送する。制御信号は、例えば、チャネル品質情報（ＣＱＩ；Ｃｈａｎｎｅｌ  Ｑｕａｌｉｔｙ  Ｉｎｄｉｃａｔｏｒ）、通常のプリコーダ行列情報（ＰＭＩ；Ｐｒｅｃｏｄｅｒ  Ｍａｔｒｉｘ  Ｉｎｄｉｃａｔｏｒ）、特殊なプリコーダ行列情報（ＢＣ−ＰＭＩ；Ｂｅｓｔ  Ｃｏｍｐａｎｉｏｎ  Ｐｒｅｃｏｄｅｒ  Ｍａｔｒｉｘ  Ｉｎｄｉｃａｔｏｒ）、ランク情報（ＲＩ；Ｒａｎｋ  Ｉｎｄｉｃａｔｏｒ）、スケジューリング要求（ＳＲ；Ｓｃｈｅｄｕｌｉｎｇ  Ｒｅｑｕｅｓｔ）、及び、確認応答（ＡＣＫ）／否定確認応答（ＮＡＣＫ）である。これらの制御信号は、上りリンク制御情報（ＵＣＩ）と称される。本実施形態において、上りリンク制御情報は、下りリンクフィードバック情報である。
【００７０】
ＣＱＩは、下りリンクにおいて推奨される変調・符号化方式（ＭＣＳ）を示すインデックスである。ＰＭＩは、下りリンクにおいて推奨されるプリコーダ行列（ＵＥ１００にビームが向くプリコーダ行列）を示すインデックスである。ＢＣ−ＰＭＩは、ＵＥ１００以外のＵＥ（不図示）において、下りリンクにおいて推奨されるプリコーダ行列を示すインデックスであり、かつ、ＵＥ１００にとって好ましいプリコーダ行列（ＵＥ１００にヌルが向くプリコーダ行列）を示すインデックスである。ＲＩは、下りリンクにおいて推奨されるランク（レイヤ数）を示すインデックスである。ＳＲは、上りリンク無線リソース（リソースブロック）の割当てを要求する信号である。ＡＣＫ／ＮＡＣＫは、下りリンクの物理チャネル（例えば、ＰＤＳＣＨ）を介して送信される信号の復号に成功したか否かを示す。
【００７１】
ＰＵＳＣＨは、ユーザデータ及び／又は制御信号を搬送する物理チャネルである。例えば、上りリンクのデータ領域は、ユーザデータにのみ割当てられてもよく、ユーザデータ及び制御信号が多重されるように割当てられてもよい。
【００７２】
また、各サブフレームには、復調参照信号（ＤＭＲＳ）及びサウンディング参照信号（ＳＲＳ）が配置される。
【００７３】
（ｅＰＤＣＣＨ及びｅＰＨＩＣＨ）
ｅＮＢ２００は、通常、ＰＤＣＣＨを介して、制御領域でＤＣＩを送信する。しかしながら、図７に示すように、本実施形態において、ｅＮＢ２００は、後述する二重接続方式が適用されているＵＥ１００に対して、ＤＣＩを送信する場合、制御領域に代えてデータ領域でＤＣＩを送信する。このような制御チャネルをｅＰＤＣＣＨ（Ｅ−ＰＤＣＣＨ；Ｅｎｈａｎｃｅｄ−ＰＤＣＣＨ）と称する。
【００７４】
また、ｅＮＢ２００は、通常、ＰＨＩＣＨを介して、上りリンクデータの送達確認情報である確認応答（ＡＣＫ）／否定確認応答（ＮＡＣＫ）を制御領域で送信する。しかしながら、本実施形態において、ｅＮＢ２００は、後述する二重接続方式が適用されているＵＥ１００に対して、確認応答（ＡＣＫ）／否定確認応答（ＮＡＣＫ）を送信する場合、制御領域に代えてデータ領域で、確認応答（ＡＣＫ）／否定確認応答（ＮＡＣＫ）を送信する。このような制御チャネルをｅＰＨＩＣＨ（Ｅ−ＰＨＩＣＨ；Ｅｎｈａｎｃｅｄ−ＰＨＩＣＨ）と称する。
【００７５】
なお、ｅＮＢ２００は、ＤＣＩをデータ領域で送信する場合に、データ領域における特定のリソースブロックを用いてＤＣＩを送信する。このように、データ領域における特定のリソースブロックは、制御領域における特定のリソースブロックと同様に、ＤＣＩの伝送に使用される。また、同様に、データ領域における特定のリソースブロックは、確認応答（ＡＣＫ）／否定確認応答（ＮＡＣＫ）の伝送に用いられる。
【００７６】
（二重接続方式の概要）
次に、本実施形態に係るＬＴＥシステムがサポートする二重接続方式の概要を、図８を用いて説明する。図８は、本実施形態に係るＬＴＥシステムの動作環境を説明するための図である。
【００７７】
図８に示すように、本実施形態に係るＬＴＥシステムは、ＵＥ１００、ｅＮＢ２００−１及びｅＮＢ２００−２を有する。
【００７８】
ｅＮＢ２００−１は、大セルを管理する。大セルは、ＬＴＥシステムにおける一般的なセルであり、マクロセルと称される。なお、ｅＮＢ２００−１は、ＵＥ１００のモビリティの管理を行う。
【００７９】
ｅＮＢ２００−２は、小セルを管理する。小セルは、大セルよりもカバレッジの狭いセルであり、ピコセル又はフェムトセルと称される。ｅＮＢ２００−２は、ホーム基地局（ＨｅＮＢ）であってもよい。なお、ｅＮＢ２００−２は、二重接続方式が適用されているＵＥ１００に対しては、ＵＥ１００のモビリティの管理を行わない。
【００８０】
本実施形態において、小セルは、大セルのカバレッジ内に設けられている。本実施形態において、ｅＮＢ２００−１とｅＮＢ２００−２とは、同一の周波数帯を使用する。すなわち、大セルと小セルとは、同一の周波数帯に属する。
【００８１】
本実施形態に係るＬＴＥシステムがサポートする二重接続方式は、ｅＮＢ２００−１からＵＥ１００へ下りリンクデータが送信される下りリンク用の第１の接続と、ＵＥ１００からｅＮＢ２００−２へ上りリンクデータが送信される上りリンク用の第２の接続と、が確立される方式である。
【００８２】
本実施形態において、ＵＥ１００とｅＮＢ２００−１との間に確立される第１の接続は、ＲＲＣ接続であり、ＵＥ１００とｅＮＢ２００−２との間に確立される第２の接続は、ＲＲＣ接続又はＲＲＣ接続よりも下位レイヤでの接続（例えば、ＲＬＣ接続）である。
【００８３】
図８に示すように、ＵＥ１００は、上りリンクデータをｅＮＢ２００−２に送信する。また、ＵＥ１００は、下りリンクデータをｅＮＢ２００−１から受信する。これにより、ＵＥ１００がｅＮＢ２００−１から受信する電力が、ＵＥ１００がｅＮＢ２００−２から受信する電力よりも大きく、かつ、ｅＮＢ２００−２がＵＥ１００から受信する電力が、ｅＮＢ２００−１がＵＥ１００から受信する電力よりも大きい場合、ＵＥ１００は、受信強度が良好な下りリンクデータを受信できるとともに、ｅＮＢ２００−２は、受信強度が良好な上りリンクデータを受信できる。
【００８４】
また、図８に示すように、ＵＥ１００は、原則として、上りリンクデータをｅＮＢ２００−２に送信する一方で、例外的に、上りリンクデータに分類される、下りリンクデータについてのフィードバック情報である下りフィードバック情報（ＤＬ  ｆｅｅｄｂａｃｋ）を、ｅＮＢ２００−１に送信する。すなわち、下りフィードバック情報は、上りリンクデータであるが、ＵＥ１００は、下りフィードバック情報をｅＮＢ２００−２に送信せずに、ｅＮＢ２００−１に送信する。したがって、ｅＮＢ２００−１は、下りフィードバック情報をＵＥ１００から直接受信する。
【００８５】
また、ＵＥ１００は、原則として、下りリンクデータをｅＮＢ２００−１から受信する一方で、例外的に、下りリンクデータに分類される、上りリンクデータについてのフィードバック情報である上りフィードバック情報（ＵＬ  ｆｅｅｄｂａｃｋ）をｅＮＢ２００−２から受信する。すなわち、上りフィードバック情報は、下りリンクデータであるが、ＵＥ１００は、上りフィードバック情報を、ｅＮＢ２００−１から受信せずに、ｅＮＢ２００−２から直接受信する。
【００８６】
（第１実施形態に係る移動通信システムの動作）
次に、第１実施形態に係る移動通信システムの動作について、説明する。具体的には、（１）上りフィードバック情報に関する動作シーケンスと、（２）下りフィードバック情報に関する動作シーケンスと、を説明する。なお、（１）上りフィードバック情報に関する動作シーケンスにおいて、ＵＥ１００に二重接続方式を適用する処理も合わせて説明する。
【００８７】
（１）上りフィードバック情報に関する動作シーケンス
上りフィードバック情報に関する動作シーケンスについて、図９を用いて説明する。図９は、上りフィードバック情報に関する動作シーケンスのシーケンス図である。
【００８８】
ＵＥ１００は、大セルをサービングセルとして、ｅＮＢ２００−１との接続を確立し、ｅＮＢ２００−２との接続を確立していないと仮定して、説明する。
【００８９】
図９に示すように、ステップＳ１０１において、ＵＥ１００は、上りリンク要求（ＵＬ  ｒｅｑｕｅｓｔ）をｅＮＢ２００−１に送信する。ｅＮＢ２００−１は、上りリンク要求を受信する。
【００９０】
上りリンク要求は、ＵＥ１００が上りリンクデータを送信することを要求する情報である。
【００９１】
本実施形態において、ＵＥ１００は、ＵＥ１００が二重接続方式をサポートするか否かを示すケーパビリティ情報（Ｃａｐａｂｉｌｉｔｙ  Ｉｎｆｏｒｍａｔｉｏｎ）をｅＮＢ２００−１に送信する。ｅＮＢ２００−１は、ケーパビリティ情報を受信する。本実施形態において、ケーパビリティ情報は、ＵＥ１００が二重接続方式をサポートすることを示す情報であると仮定して、説明を進める。
【００９２】
また、本実施形態において、ＵＥ１００は、測定報告（Ｍｅａｓｕｒｅｍｅｎｔ  ｒｅｐｏｒｔ）をｅＮＢ２００−１に送信する。ｅＮＢ２００−１は、測定報告を受信する。測定報告は、ｅＮＢ２００−１が管理する大セル及びｅＮＢ２００−２が管理する小セル（隣接セル）のそれぞれの測定情報（参照信号の受信電力など）を含む。
【００９３】
また、ＵＥ１００は、ＵＥ１００の位置情報を送信してもよい。
【００９４】
ステップＳ１０２において、ｅＮＢ２００−１は、ＵＥ１００に二重接続方式を適用するか否かを判定する。
【００９５】
具体的には、まず、ｅＮＢ２００−１は、ケーパビリティ情報に基づいて、ＵＥ１００に二重接続方式を適用するか否かを判定する。
【００９６】
ｅＮＢ２００−１は、ＵＥ１００が二重接続方式をサポートすることをケーパビリティ情報が示す場合、ＵＥ１００がｅＮＢ２００−１と異なる他のｅＮＢ２００に接続し得る状態であるか否かを判定する。
【００９７】
一方、ｅＮＢ２００−１は、ＵＥ１００が二重接続方式をサポートしないことをケーパビリティ情報が示す場合、ｅＮＢ２００−１は、ＵＥ１００に二重接続方式を適用しないと判定する。
【００９８】
ｅＮＢ２００−１は、測定報告に基づいて、ＵＥ１００が他のｅＮＢ２００に接続し得る状態であるか否かを判定する。ｅＮＢ２００−１は、ｅＮＢ２００−２が管理する小セルについての測定情報が良好である場合に、ＵＥ１００が他のｅＮＢ２００に接続し得る状態であると判定する。この場合、ｅＮＢ２００−１は、ＵＥ１００に二重接続方式を適用すると判定する。
【００９９】
一方、ｅＮＢ２００−１は、ｅＮＢ２００−２が管理する小セルについての測定情報が良好でない場合には、ＵＥ１００が他のｅＮＢ２００に接続し得る状態でないと判定する。この場合、ｅＮＢ２００−１は、ＵＥ１００に二重接続方式を適用しないと判定する。
【０１００】
なお、ｅＮＢ２００−１は、ＵＥ１００の位置情報に基づいて、ＵＥ１００が他のｅＮＢ２００に接続し得る状態であるか否かを判定してもよい。例えば、ｅＮＢ２００−１は、ＵＥ１００とｅＮＢ２００−１との距離が、ＵＥ１００とｅＮＢ２００−２との距離に所定値を加えた値よりも大きい場合、ＵＥ１００に二重接続方式を適用すると判定する。
【０１０１】
本実施形態において、ｅＮＢ２００−１は、ＵＥ１００に二重接続方式を適用すると判定したと仮定して、説明を進める。
【０１０２】
ステップＳ１０３において、ｅＮＢ２００−１は、二重接続要求（Ｄｕａｌ  Ｃｏｎｎｅｃｔｉｏｎ  ｒｅｑｕｅｓｔ）をｅＮＢ２００−２に送信する。ｅＮＢ２００−２は、二重接続要求を受信する。
【０１０３】
二重接続要求は、二重接続方式を適用するＵＥ１００との接続を確立することを要求することを示す情報である。
【０１０４】
本実施形態において、二重接続要求は、ＵＥ１００が、原則として、上りリンクデータをｅＮＢ２００−２に送信し、かつ、下りリンクデータをｅＮＢ２００−１から受信することを示す情報を含む。
【０１０５】
ｅＮＢ２００−２は、二重接続要求を受信した場合、ＵＥ１００との接続を確立するか否かを判定する。例えば、ｅＮＢ２００−２は、ｅＮＢ２００−２の負荷状況に基づいて、ＵＥ１００との接続を確立するか否かを判定する。具体的には、ｅＮＢ２００−２のトラフィック量が、所定値を超えない場合にＵＥ１００との接続を確立すると判定してもよい。
【０１０６】
本実施形態において、ｅＮＢ２００−２は、ＵＥ１００との接続を確立すると判定したと仮定して説明する。
【０１０７】
ステップＳ１０４において、ｅＮＢ２００−２は、二重接続応答（Ｄｕａｌ  Ｃｏｎｎｅｃｔｉｏｎ  ｒｅｓｐｏｎｓｅ）をｅＮＢ２００−１に送信する。ｅＮＢ２００−１は、二重接続要求に対する応答を受信する。
【０１０８】
二重接続応答は、二重接続要求に対する応答である。例えば、ｅＮＢ２００−２は、二重接続要求に対する応答として、二重接続要求に対する肯定応答（Ｄｕａｌ  Ｃｏｎｎｅｃｔｉｏｎ  ｒｅｑｕｅｓｔ  Ａｃｋ）又は否定応答（Ｄｕａｌ  Ｃｏｎｎｅｃｔｉｏｎ  ｒｅｑｕｅｓｔ  Ｎａｃｋ）を送信する。
【０１０９】
また、ｅＮＢ２００−２は、二重接続応答と共に、ｅＮＢ２００−２からＵＥ１００に送信される情報の設定（Ｃｏｎｆｉｇｕｒａｔｉｏｎ）を示す設定情報（Ｃｏｎｆｉｇｕｒａｔｉｏｎ  Ｉｎｆｏｒｍａｔｉｏｎ）を、Ｘ２インターフェイス上でｅＮＢ２００−１に送信してもよい。この場合、ｅＮＢ２００−２の設定情報は、ｅＮＢ２００−１を経由して、ＵＥ１００に送信される。
【０１１０】
ｅＮＢ２００−２は、設定情報として、例えば、ＣＳＩ−ＲＳ設定情報（ＣＳＩ−ＲＳ  Ｃｏｎｆｉｇｕｒａｔｉｏｎ  Ｉｎｆｏｒｍａｔｉｏｎ）、ｅＰＤＣＣＨ設定情報（ｅＰＤＣＣＨ  Ｃｏｎｆｉｇｕｒａｔｉｏｎ  Ｉｎｆｏｒｍａｔｉｏｎ）及びｅＰＨＩＣＨ設定情報（ｅＰＨＩＣＨ  Ｃｏｎｆｉｇｕｒａｔｉｏｎ  Ｉｎｆｏｒｍａｔｉｏｎ）をＸ２インターフェイス上でｅＮＢ２００−１に送信する。
【０１１１】
ＣＳＩ−ＲＳ設定情報は、ｅＮＢ２００（ｅＮＢ２００−２）が送信するＣＳＩ−ＲＳの設定を示す情報である。ｅＰＤＣＣＨ設定情報は、ｅＮＢ２００（ｅＮＢ２００−２）が送信するｅＰＤＣＣＨの設定を示す情報である。ｅＰＨＩＣＨ設定情報は、ｅＮＢ２００（ｅＮＢ２００−２）が送信するｅＰＨＩＣＨの設定を示す情報である。
【０１１２】
なお、ｅＮＢ２００−２は、二重接続要求とは別に、設定情報を送信してもよい。
【０１１３】
ステップＳ１０５において、ｅＮＢ２００−１は、二重接続指示（Ｄｕａｌ  Ｃｏｎｎｅｃｔｉｏｎ  指示）をＵＥ１００に送信する。ＵＥ１００は、二重接続指示を受信する。
【０１１４】
二重接続指示は、ＵＥ１００に二重接続を指示する情報である。本実施形態において、二重接続要求は、ＵＥ１００が、原則として、上りリンクデータをｅＮＢ２００−２に送信し、かつ、下りリンクデータをｅＮＢ２００−１から受信することを示す情報を含む。
【０１１５】
ＵＥ１００は、二重接続指示に基づいて、ｅＮＢ２００−２との接続を確立する。これにより、ＵＥ１００には、二重接続方式が適用される。
【０１１６】
また、本実施形態において、ｅＮＢ２００−１は、設定情報（Ｃｏｎｆｉｇｕｒａｔｉｏｎ  Ｉｎｆｏｒｍａｔｉｏｎ）をＵＥ１００に送信する。ステップＳ１０５における設定情報は、ステップＳ１０４において、ｅＮＢ２００−２から受信した設定情報を含む。また、ステップＳ１０５における設定情報は、ｅＮＢ２００−１からＵＥ１００に送信される情報の設定情報を含んでもよい。
【０１１７】
ＵＥ１００は、設定情報をｅＮＢ２００−１から受信する。なお、ＵＥ１００は、ｅＮＢ２００−２の設定情報を、ｅＮＢ２００−１を経由して受信する。
【０１１８】
本実施形態において、ｅＮＢ２００−１は、設定情報として、ｅＮＢ２００−２から受信したＣＳＩ−ＲＳ設定情報、ｅＰＤＣＣＨ設定情報及びｅＰＨＩＣＨ設定情報に加えて、ｅＮＢ２００−１からＵＥ１００に送信されるＣＳＩ−ＲＳの設定情報をＵＥ１００に送信する。
【０１１９】
ＵＥ１００は、ｅＮＢ２００−１から設定情報を受信する。ＵＥ１００は、設定情報に含まれる各種の設定情報（ｅＮＢ２００−２のＣＳＩ−ＲＳ設定情報、ｅＮＢ２００−２のｅＰＤＣＣＨ設定情報、ｅＮＢ２００−２のｅＰＨＩＣＨ設定情報、及びｅＮＢ２００−１のＣＳＩ−ＲＳ設定情報）に基づいて、受信処理を行う。
【０１２０】
ステップＳ１０６において、ｅＮＢ２００−１及びｅＮＢ２００−２のそれぞれは、チャネル状態情報用参照信号（ＣＳＩ−ＲＳ）を送信する。ＵＥ１００は、ｅＮＢ２００−１及びｅＮＢ２００−２のそれぞれからＣＳＩ−ＲＳを受信する。
【０１２１】
ＵＥ１００は、ｅＮＢ２００−１から受信したＣＳＩ−ＲＳに基づいて、ｅＮＢ２００−１との間のチャネル特性の推定（チャネル推定）を行う。ＵＥ１００は、チャネル推定の結果に基づいて、ｅＮＢ２００−１との間のチャネル状態情報（ＣＳＩ）を生成する。また、ＵＥ１００は、同様にして、ｅＮＢ２００−２から受信したＣＳＩ−ＲＳに基づいて、ｅＮＢ２００−２との間のチャネル状態情報を生成する。チャネル状態情報は、ＣＱＩ、ＰＭＩ、ＢＣ−ＰＭＩ及びＲＩのうち、少なくとも１つである。
【０１２２】
本実施形態において、ＵＥ１００は、ｅＮＢ２００−１から受信したＣＳＩ−ＲＳに基づいて、ＢＣ−ＰＭＩを生成し、ｅＮＢ２００−２から受信したＣＳＩ−ＲＳに基づいて、ＰＭＩを生成する。
【０１２３】
ステップＳ１０７において、ＵＥ１００は、チャネル状態情報（ＣＳＩ）をｅＮＢ２００−１及びｅＮＢ２００−２に送信する。ｅＮＢ２００−１及びｅＮＢ２００−２のそれぞれは、チャネル状態情報を受信する。
【０１２４】
本実施形態において、ＵＥ１００は、ｅＮＢ２００−１に、チャネル状態情報としてＢＣ−ＰＭＩを送信する。また、ＵＥ１００は、ｅＮＢ２００−２に、チャネル状態情報として、ＰＭＩを送信する。
【０１２５】
なお、ステップＳ１０７において送信するチャネル状態情報は、下りフィードバック情報である。
【０１２６】
ステップＳ１０８において、ｅＮＢ２００−２は、スケジューリング（Ｓｃｈｅｄｕｌｉｎｇ）を行う。具体的には、ｅＮＢ２００−２は、ＵＥ１００から受信したＰＭＩに基づいて、ｅＮＢ２００−２からＵＥ１００に送信される上りフィードバック情報の送信のために、ＵＥ１００に無線リソースを割り当てる。ｅＮＢ２００−２は、データ領域における無線リソース又は制御領域における無線リソースを、ＵＥ１００に対して割り当てる。
【０１２７】
また、ｅＮＢ２００−２は、ＵＥ１００からｅＮＢ２００−２に送信される上りリンクデータの送信のために、ＵＥ１００に対して、上りリンクの無線リソースを割り当てる。
【０１２８】
ステップＳ１０９において、ｅＮＢ２００−２は、スケジューリング情報（Ｓｃｈｅｄｕｌｉｎｇ  ｉｎｆｏｒｍａｔｉｏｎ）をｅＮＢ２００−１に送信する。ｅＮＢ２００−１は、スケジューリング情報を受信する。
【０１２９】
スケジューリング情報は、上りフィードバック情報の送信に用いられる下りリンクの無線リソースを示す情報を含む。また、スケジューリング情報は、前記下りリンクの無線リソースを示す情報だけでなく、ＵＥ１００に割り当てる上りリンクの無線リソースを示す情報を含んでいてもよい。さらに、スケジューリング情報は、ｅＮＢ２００−２と接続を確立するその他のＵＥに割り当てる無線リソースを示す情報を含んでいてもよい。
【０１３０】
ステップＳ１１０において、ｅＮＢ２００−１は、スケジューリング情報に基づいて、干渉制御を行う。
【０１３１】
本実施形態において、ｅＮＢ２００−１は、ステップＳ１１１において、ｅＮＢ２００−２がＵＥ１００の下りリンクのスケジューリング情報をＵＥ１００に送信する場合に、ｅＮＢ２００−１がＵＥ１００に与える干渉を抑制するため、以下の動作パターン１から３の少なくともいずれかを行うことができる。
【０１３２】
（１．１）動作パターン１
ｅＮＢ２００−１は、上りフィードバック情報（すなわち、ステップＳ１１１において送信されるＵＥ１００の下りリンクのスケジューリング情報）の送信に用いられる無線リソースに対応する無線リソースを、ＵＥ１００及び他のＵＥに対して、割り当てないように、無線リソースの割り当てを行う。
【０１３３】
なお、上りフィードバック情報の送信に用いられる無線リソース対応する無線リソースとは、上りフィードバック情報の送信に用いられる無線リソースと周波数帯及び時間が重複する無線リソースである。
【０１３４】
具体的には、ステップＳ１０８において、ｅＮＢ２００−２が、上りフィードバック情報を送信するために、データ領域における無線リソースを、ＵＥ１００に対して割り当てた場合には、ｅＮＢ２００−１は、ＵＥ１００及び他のＵＥに対して、データ領域における同一の無線リソースを割り当てないようにする。準静的なリソースパーティショニングにより、データ領域における同一の無線リソースが割り当てられなくてもよい。
【０１３５】
また、同様に、ｅＮＢ２００−２が、制御領域における無線リソースを、ＵＥ１００に対して割り当てた場合には、ｅＮＢ２００−１は、制御チャネルの割当量を減らす制御を行う（Ｌｉｇｈｔｌｙ  ｌｏａｄｅｄ  ＰＤＣＣＨ）。
【０１３６】
（１．２）動作パターン２
ｅＮＢ２００−１は、上りフィードバック情報を送信するために、ＵＥ１００に対して割り当てられた無線リソースに対応する無線リソースを用いて、ＵＥ１００又は他のＵＥに送信する下りリンクデータを所定値以下の送信電力で送信する。
【０１３７】
具体的には、ステップＳ１０８において、ｅＮＢ２００−２が、上りフィードバック情報を送信させるために、データ領域における無線リソースを、ＵＥ１００に対して割り当てた場合には、ｅＮＢ２００−１は、ＵＥ１００及び他のＵＥに対して、データ領域における同一の無線リソースを用いて送信する下りリンクデータを所定値以下の送信電力で送信する。すなわち、ｅＮＢ２００−１は、通常の送信電力よりも小さい値で、下りリンクデータを送信する。なお、送信電力は、０であってもよい。
【０１３８】
また、同様に、ステップＳ１０８において、ｅＮＢ２００−２が、制御領域における無線リソースを、ＵＥ１００に対して割り当てた場合には、ｅＮＢ２００−１は、ＵＥ１００及び他のＵＥに対して、制御領域において送信する下りリンクデータを所定値以下の送信電力で送信する。
【０１３９】
（１．３）動作パターン３
ｅＮＢ２００−１は、ｅＮＢ２００−２が上りフィードバック情報を送信している間、ｅＮＢ２００−１からの指向性ビームのヌル点がＵＥ１００を向くように、無線リソースの割り当てを行う。
【０１４０】
ｅＮＢ２００−１は、ｅＮＢ２００−２が、上りフィードバック情報の送信のために、データ領域における無線リソースを用いる場合には、ステップＳ１０７においてＵＥ１００から受信したＢＣ−ＰＭＩに基づいて、指向性ビームのヌル点がＵＥ１００を向くように、下りリンクデータの無線リソースの割り当てを行う。
【０１４１】
ｅＮＢ２００−１は、以上の動作パターン１から３を行うことができる。
【０１４２】
次に、ステップＳ１１１において、ｅＮＢ２００−２は、ＵＥ１００のスケジューリング情報を送信する。ＵＥ１００は、ＵＥ１００のスケジューリング情報を受信する。
【０１４３】
ＵＥ１００のスケジューリング情報は、上述したステップＳ１０８においてスケジュールしたＵＥ１００の上りリンクのスケジューリング情報及び下りリンクのスケジューリング情報である。
【０１４４】
ｅＮＢ２００−１が、上述したステップＳ１１０における干渉制御を行うことによって、ＵＥ１００は、ｅＮＢ２００−１からの干渉を受けずに、ｅＮＢ２００−２からスケジューリング情報を受信できる。
【０１４５】
ステップＳ１１２において、ＵＥ１００は、ステップＳ１１１において受信したスケジューリング情報に基づいて、上りリンクデータ（ＵＬ  ｄａｔａ）を送信する。ｅＮＢ２００−２は、上りリンクデータを受信する。
【０１４６】
ＵＥ１００は、下りフィードバック情報を除いて、上りリンクデータをｅＮＢ２００−１に送信しない。
【０１４７】
ステップＳ１１３において、ｅＮＢ２００−１は、スケジューリング情報に基づいて、干渉制御を行う。
【０１４８】
ｅＮＢ２００−１は、ステップＳ１１４において、ｅＮＢ２００−２がＵＥ１００の上りリンクフィードバック情報をＵＥ１００に送信する場合に、ｅＮＢ２００−１がＵＥ１００に干渉を与えることを抑制するため、ステップＳ１１０と同様に、干渉制御を行う。
【０１４９】
ステップＳ１１４において、ｅＮＢ２００−２は、ステップＳ１１２における上りリンクデータについての上りフィードバック情報をＵＥ１００に送信する。
【０１５０】
上りフィードバック情報は、例えば、上りリンクに関するＤＣＩ（例えば、上りリンクＳＩ、ＴＰＣビット）や、ＰＨＩＣＨを介して送信される確認応答（ＡＣＫ）／否定確認応答（ＮＡＣＫ）である。
【０１５１】
ｅＮＢ２００−２は、データ領域でＤＣＩを送信してもよい。また、ｅＮＢ２００−２は、ｅＰＨＩＣＨを介して、データ領域で確認応答（ＡＣＫ）／否定確認応答（ＮＡＣＫ）を送信してもよい。
【０１５２】
ｅＮＢ２００−１が、上述したステップＳ１１３における干渉制御を行うことによって、ＵＥ１００は、ｅＮＢ２００−１からの干渉を受けずに、ｅＮＢ２００−２から上りフィードバック情報を受信できる。
【０１５３】
なお、ＵＥ１００は、上りフィードバック情報に基づいて、上りリンクデータを送信する。例えば、ＵＥ１００は、上りフィードバック情報を反映させて、新たな上りリンクデータを送信したり、すでに送信した上りリンクデータを再送信したりする。
【０１５４】
（２）下りフィードバック情報に関する動作シーケンス
次に、下りフィードバック情報に関する動作シーケンスについて、図１０を用いて説明する。図１０は、下りフィードバック情報に関する動作シーケンスのシーケンス図である。
【０１５５】
図１０に示すように、ステップ２０１において、ｅＮＢ２００−１は、スケジューリング（Ｓｃｈｅｄｕｌｉｎｇ）を行う。具体的には、ｅＮＢ２００−１は、ＵＥ１００から送信される下りフィードバック情報の送信のために、ＵＥ１００に対して、上りリンクの無線リソースを割り当てる。ｅＮＢ２００−１は、データ領域における無線リソース又は制御領域における無線リソースを、ＵＥ１００に対して割り当てる。
【０１５６】
なお、ｅＮＢ２００−１は、データ領域で、ＵＥ１００に下りフィードバック情報を送信させるように、ＵＥ１００に無線リソースを割り当ててもよい。
【０１５７】
また、ｅＮＢ２００−１は、ｅＮＢ２００−１からＵＥ１００に送信される下りリンクデータの送信ために、ＵＥ１００に対して、下りリンクの無線リソースを割り当てる。
【０１５８】
ステップＳ２０２において、ｅＮＢ２００−１は、スケジューリング情報をｅＮＢ２００−２に送信する。ｅＮＢ２００−２は、スケジューリング情報を受信する。
【０１５９】
スケジューリング情報は、下りフィードバック情報を割り当てる上りリンクの無線リソースを示す情報を含む。また、スケジューリング情報は、前記上りリンクの無線リソースを示す情報だけでなく、ＵＥ１００に割り当てる下りリンクの無線リソースを示す情報を含んでいてもよい。また、スケジューリング情報は、ｅＮＢ２００−１と接続を確立するその他のＵＥに割り当てる無線リソースを示す情報を含んでいてもよい。
【０１６０】
ステップＳ２０３において、ｅＮＢ２００−１は、ＵＥ１００のスケジューリング情報をＵＥ１００に送信する。ＵＥ１００は、ＵＥ１００のスケジューリング情報を受信する。
【０１６１】
ＵＥ１００のスケジューリング情報は、上述したステップＳ２０２においてスケジュールしたＵＥ１００の上りリンク及び下りリンクのスケジューリング情報である。
【０１６２】
ステップＳ２０４において、ｅＮＢ２００−１は、ステップＳ２０３において送信したスケジューリング情報に基づいて、下りリンクデータ（ＤＬ  ｄａｔａ）を送信する。ＵＥ１００は、下りリンクデータを受信する。
【０１６３】
ステップＳ２０５において、ｅＮＢ２００−２は、スケジューリング情報に基づいて、干渉制御を行う。
【０１６４】
本実施形態において、ｅＮＢ２００−２は、ステップＳ２０６において、ＵＥ１００が下りフィードバック情報をｅＮＢ２００−１に送信する場合に、ＵＥ１００がｅＮＢ２００−２に与える干渉を抑制するため、以下の動作パターンを行う。
【０１６５】
ｅＮＢ２００−２は、下りフィードバック情報（すなわち、ステップＳ２０６において送信されるフィードバック情報）の送信に用いられる無線リソースに対応する無線リソースを、ＵＥ１００及び他のＵＥに対して、割り当てないように、無線リソースの割り当てを行う。
【０１６６】
具体的には、ステップＳ２０１において、ｅＮＢ２００−１が、下りフィードバック情報を送信させるために、データ領域における無線リソースを、ＵＥ１００に対して割り当てた場合には、ｅＮＢ２００−２は、ＵＥ１００及び他のＵＥに対して、データ領域における同一の無線リソースを割り当てないようにする。準静的なリソースパーティショニングにより、データ領域における同一の無線リソースが割り当てられなくてもよい。
【０１６７】
ステップＳ２０６において、ＵＥ１００は、ステップＳ２０４における下りリンクデータについての下りフィードバック情報をｅＮＢ２００−１に送信する。ｅＮＢ２００−１は、下りフィードバック情報を受信する。
【０１６８】
ＵＥ１００は、スケジューリング情報に基づいて、下りフィードバック情報をｅＮＢ２００−１に送信する。スケジューリング情報が、データ領域で下りフィードバック情報を送信することを指示する情報を含んでいる場合には、ＵＥ１００は、データ領域で、下りフィードバック情報をｅＮＢ２００−１に送信する。
【０１６９】
下りフィードバック情報は、例えば、下りリンクに関するＵＣＩ（例えば、ＣＱＩ、ＰＭＩ、ＢＣ−ＰＭＩ、ＲＩ、ＡＣＫ／ＮａＣＫ）である。
【０１７０】
ｅＮＢ２００−２が、上述したステップＳ２０５における干渉制御を行うことによって、ｅＮＢ２００−２は、ＵＥ１００からの干渉を受けずに、ＵＥ１００又は他のＵＥから上りリンクデータを受信できる。
【０１７１】
また、ステップＳ２０５における干渉制御の代わりに、ＵＥ１００が、下りフィードバック情報を所定値以下の送信電力で送信してもよい。すなわち、ＵＥ１００は、通常の送信電力よりも小さい値で、下りフィードバック情報を送信する。
【０１７２】
なお、ｅＮＢ２００−１は、下りフィードバック情報に基づいて、下りリンクのデータ通信を改善するための処理を実行する。例えば、ｅＮＢ２００−１は、下りフィードバック情報を反映させて、新たな下りリンクデータを送信したり、すでに送信した下りリンクデータを再送信したりする。また、ｅＮＢ２００−１は、ＵＥ１００が干渉を受けないように、上述した干渉制御を行ってもよい。
【０１７３】
（第１実施形態のまとめ）
本実施形態において、ｅＮＢ２００−１からＵＥ１００へ下りリンクデータが送信される下りリンク用の第１の接続と、ＵＥ１００からｅＮＢ２００−２への上りリンクデータが送信される上りリンク用の第２の接続とが確立されている場合において、ＵＥ１００は、下りフィードバック情報を、ｅＮＢ２００−１に送信し、ＵＥ１００は、上りフィードバック情報を、ｅＮＢ２００−２から受信する。これにより、下りリンクデータを送信するｅＮＢ２００−１にＵＥ１００から下りフィードバック情報が直接送信されるため、下りフィードバック情報が受信されるまでの時間を短縮できる。また、上りリンクデータを送信するＵＥ１００にｅＮＢ２００−２から上りフィードバック情報が直接送信されるため、上りフィードバック情報が受信されるまでの時間を短縮できる。
【０１７４】
また、本実施形態において、ｅＮＢ２００−１とｅＮＢ２００−２とが同一の周波数帯を使用する場合に、ｅＮＢ２００−２は、上りフィードバック情報の送信に用いられる無線リソースを示す情報を含むスケジューリング情報をｅＮＢ２００−１に送信し、ｅＮＢ２００−１は、前記スケジューリング情報に基づいて、下りリンクにおける無線リソースの割り当てを行う。これにより、ｅＮＢ２００−１は、ｅＮＢ２００−２の上りフィードバック情報の送信に用いられる無線リソースを考慮して、下りリンクにおける無線リソースの割り当てを行うことができる。したがって、送信電力がｅＮＢ２００−２よりも大きいｅＮＢ２００−１は、ＵＥ１００が上りフィードバック情報を受信する際に干渉が発生しないように、下りリンクにおける無線リソースの割り当てを行うことが可能となる。
【０１７５】
また、本実施形態において、ｅＮＢ２００−２は、制御領域とデータ領域とを含む下りリンクフレームにおいて、上りフィードバック情報を、制御領域に代えてデータ領域で送信する。データ領域は、制御領域に比べて、無線リソースの割り当ての自由度が高いため、ｅＮＢ２００−１は、ＵＥ１００が上りフィードバック情報を受信する際に干渉が発生しないように、下りリンクにおける無線リソースの割り当てを行うことが可能となる。
【０１７６】
また、本実施形態において、ｅＮＢ２００−１は、上りフィードバック情報の送信に用いられる無線リソースに対応する無線リソースを、ＵＥ１００及び他のＵＥに割り当てないように、下りリンクの無線リソースの割り当てを行う。これにより、上りフィードバック情報の送信に用いられる無線リソースと同一の無線リソースが用いられたｅＮＢ２００−１からの下りリンクの送信が行われないため、ＵＥ１００は、上りフィードバック情報を良好に受信することができる。
【０１７７】
また、実施形態において、ｅＮＢ２００−１は、上りフィードバック情報を送信するためにＵＥ１００に対して割り当てられた無線リソースに対応する無線リソースを用いて、下りリンクデータを所定値以下の送信電力で送信する。これにより、ＵＥ１００が上りフィードバック情報を受信する際に、ｅＮＢ２００−２が与える干渉の発生を抑制できる。
【０１７８】
また、実施形態において、ｅＮＢ２００−１は、ｅＮＢ２００−２が上りフィードバック情報を送信している間、ｅＮＢ２００−１からの指向性ビームのヌル点がＵＥ１００に向くように、下りリンクにおける無線リソースの割り当てを行う。これにより、ＵＥ１００が上りフィードバック情報を受信する際に、ｅＮＢ２００−２が与える干渉の発生を抑制できる。
【０１７９】
また、実施形態において、ｅＮＢ２００−２は、データ領域で上りフィードバック情報を送信するための設定を示すｅＰＤＣＣＨ設定情報を、ＵＥ１００に送信する。これにより、ｅＮＢ２００−２が、データ領域で上りフィードバック情報を送信しても、ＵＥ１００は、上りフィードバック情報を受信できる。
【０１８０】
また、実施形態において、ｅＮＢ２００−２は、ｅＰＤＣＣＨ設定情報を、ｅＮＢ２００−１を経由して、ＵＥ１００に送信する。これにより、ＵＥ１００とｅＮＢ２００−２とが接続を確立する前であっても、ＵＥ１００は、ｅＰＤＣＣＨ設定情報を受信するまでの時間を短縮できるため、フィードバック情報が受信されるまでの時間を短縮できる。
【０１８１】
また、実施形態において、上りフィードバック情報は、ＵＥ１００から送信された上りリンクデータの送達確認情報であり、ｅＮＢ２００−２は、物理ＨＡＲＱインジケータチャネルを介して、データ領域で、上りフィードバック情報を送信する。これにより、データ領域は、制御領域に比べて、無線リソースの割り当ての自由度が高いため、ｅＮＢ２００−１は、ＵＥ１００が上りフィードバック情報する際に干渉が発生しないように、下りリンクにおける無線リソースの割り当てを行うことが可能となる。
【０１８２】
また、実施形態において、ｅＮＢ２００−１とｅＮＢ２００−２とが同一の周波数帯を使用する場合に、ｅＮＢ２００−１は、下りフィードバック情報の送信に用いられる無線リソースを示す情報を含むスケジューリング情報をｅＮＢ２００−２に送信し、ｅＮＢ２００−２は、前記スケジューリング情報に基づいて、上りリンクにおける無線リソースの割り当てを行う。これにより、ｅＮＢ２００−２は、ＵＥ１００の下りフィードバック情報の送信に用いられる無線リソースを考慮して、ｅＮＢ２００−２と接続を確立するＵＥ１００及び他のＵＥに対して、上りリンクにおける無線リソースの割り当てを行うことができる。したがって、ＵＥ１００が下りフィードバック情報を送信する際に、ｅＮＢ２００−２への干渉が発生しないように、上りリンクにおける無線リソースの割り当てを行うことが可能となる。
【０１８３】
また、実施形態において、ｅＮＢ２００−１は、制御領域とデータ領域とを含む上りリンクフレームにおいて、下りフィードバック情報を、制御領域に代えてデータ領域で、ＵＥ１００に送信させる。データ領域は、制御領域に比べて、無線リソースの割り当ての自由度が高いため、ｅＮＢ２００−２は、ＵＥ１００が下りフィードバック情報を送信する際に、ｅＮＢ２００−２への干渉が発生しないように、上りリンクにおける無線リソースの割り当てを行うことが可能となる。
【０１８４】
また、実施形態において、ｅＮＢ２００−２は、下りフィードバック情報の送信に用いられる無線リソースに対応する無線リソースを、ｅＮＢ２００−２と接続を確立するＵＥ１００及び他のＵＥに対して、割り当てないように、上りリンクの無線リソースの割り当てを行う。これにより、下りフィードバック情報の送信に用いられる無線リソースと同一の無線リソースが用いられた他のＵＥからの上りリンクの送信が行われないため、ｅＮＢ２００−２に与える干渉を抑制できる。
【０１８５】
また、実施形態において、ＵＥ１００は、下りフィードバック情報を所定値以下の送信電力で送信する。これにより、ＵＥ１００が下りフィードバック情報を送信する際に、ｅＮＢ２００−２へ与える干渉の発生を抑制できる。
【０１８６】
また、実施形態において、ＵＥ１００は、ＵＥ１００が二重接続方式をサポートするか否かを示すケーパビリティ情報をｅＮＢ２００−１に送信し、ｅＮＢ２００−１は、ケーパビリティ情報に基づいて、ＵＥ１００に二重接続方式を適用するか否かを判定する。これにより、二重接続方式をサポートしないＵＥ１００に対して、二重接続方式を適用するか否かを判定しなくて済む。
【０１８７】
［その他の実施形態］
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【０１８８】
上述した実施形態では、ｅＮＢ２００−１が、ＵＥ１００に二重接続方式を適用するか否かを判定したが、これに限られない。ネットワーク（例えば、ＭＭＥ）が、ＵＥ１００に二重接続方式を適用するか否かを判定してもよい。
【０１８９】
また、ｅＮＢ２００−１及びｅＮＢ２００−２が、無線リソースを割り当てていたが、ネットワークが無線リソースの割り当てを制御してもよい。
【０１９０】
また、上述した実施形態では、ｅＮＢ２００−１とｅＮＢ２００−２とは、同一の周波数帯を使用していたが、これに限られない。ｅＮＢ２００−１とｅＮＢ２００−２とは、互いに異なる周波数帯を使用してもよい。
【０１９１】
また、上述した実施形態では、小セルは、大セルのカバレッジ内に設けられていたが、これに限られない。ｅＮＢ２００−１が管理するセルと、ｅＮＢ２００−２が管理するセルとが隣接していてもよい。
【０１９２】
また、上述した実施形態では、ステップＳ１０４及びステップＳ１０５において、ｅＮＢ２００−２は、ＵＥ１００に送信するｅＮＢ２００−２の設定情報を、ｅＮＢ２００−１を経由して、ＵＥ１００に送信していたが、これに限られない。ｅＮＢ２００−２は、ｅＮＢ２００−２の設定情報を、ｅＮＢ２００−１を経由せずに、ブロードキャスト又はユニキャストでＵＥ１００−１に直接送信してもよい。
【０１９３】
また、上述した実施形態において、ｅＮＢ２００−１及びｅＮＢ２００−２のそれぞれが、ＵＥ１００の上りスケジューリング情報と、ＵＥ１００の下りのスケジューリング情報とを共有している場合に、ｅＮＢ２００−１からＵＥ１００への下りリンクデータ及びＵＥ１００からｅＮＢ２００−２への上りリンクデータの送信と、ｅＮＢ２００−２からＵＥ１００への上りフィードバック情報及びＵＥ１００からｅＮＢ２００−１への下りフィードバック情報の送信とが、互い違いになるように、ＵＥ１００、ｅＮＢ２００−１及びｅＮＢ２００−２が制御されてもよい。すなわち、ｅＮＢ２００−１が下りリンクデータを送信するとともに、ＵＥ１００が上りリンクデータを送信する。その後のタイミングで、ｅＮＢ２００−２が前記上りリンクデータの上りフィードバック情報をＵＥ１００に送信するとともに、ＵＥ１００が前記下りリンクデータの下りフィードバック情報をｅＮＢ２００−２に送信する。その後のタイミングで、ｅＮＢ２００−１が、前記下りフィードバック情報に基づいて、下りリンクデータを送信するとともに、ＵＥ１００が、前記上りフィードバック情報に基づいて、上りリンクデータを送信する。この一連の処理が繰り返されてもよい。これにより、上りフィードバック情報、下りフィードバック情報、下りリンクデータ及び上りリンクデータの送受信が効率よく行われる。
【０１９４】
また、上述した実施形態において、ｅＮＢ２００−２は、ｅＮＢ２００−１からＵＥ１００の下りのスケジューリング情報を受信している場合、ｅＮＢ２００−１とｅＮＢ２００−２とが協調して、ＵＥ１００との通信（いわゆるＣｏＭＰ通信）を行ってもよい。すなわち、ｅＮＢ２００−１及びｅＮＢ２００−２のそれぞれが、同一の無線リソースを使用して、ＵＥ１００に対して、一斉に送信を行ってもよい。または、ｅＮＢ２００−１及びｅＮＢ２００−２のそれぞれが、同一の無線リソースを確保して、ＵＥ１００に対して、選択的に送信を行ってもよい。
【符号の説明】
【０１９５】
１０…Ｅ−ＵＴＲＡＮ、  ２０…ＥＰＣ、  １００，１００−１，１００−２，１００−３…ＵＥ（ユーザ端末）、  １０１…アンテナ、  １１０…無線送受信機、  １２０…ユーザインターフェイス、  １３０…ＧＮＳＳ受信機、  １４０…バッテリ、  １５０…メモリ、  １６０，１６０’…プロセッサ、  ２００，２００−１，２００−２，２００−３…ｅＮＢ（無線基地局）、  ２０１…アンテナ、  ２１０…無線送受信機、  ２２０…ネットワークインターフェイス、  ２３０…メモリ、  ２４０，２４０’…プロセッサ、  ３００−１，３００−２…ＭＭＥ／Ｓ−ＧＷ、  ４００…ＯＡＭ
【図１】
2014204346.tif 000003
【図２】
2014204346.tif 000004
【図３】
2014204346.tif 000005
【図４】
2014204346.tif 000006
【図５】
2014204346.tif 000007
【図６】
2014204346.tif 000008
【図７】
2014204346.tif 000009
【図８】
2014204346.tif 000010
【図９】
2014204346.tif 000011
【図１０】
2014204346.tif 000012